(57)【要約】【課題】バッテリーセル内の貯留液の液位確認の容易化及び確実化を図ることができる液位指示栓を提供すること。【解決手段】バッテリーセルＳの上面部に設けられ、液注入口１を構成する栓本体２と、前記バッテリーセル内に貯留された貯留液Ｌに浮き、前記栓本体によって案内されながら前記貯留液の液位の昇降に伴ってその全体が昇降するフロート４と、前記液注入口を外側から開閉自在に覆い、透光性を有するキャップ５とを具備し、前記フロートの上部に設けられた指示棒６は、前記液位が正常範囲内にあるときに少なくともその一部が前記栓本体の上方に位置する正常指示部分７と、前記液位が正常範囲を超過しているときに少なくともその一部が前記栓本体の上方に位置する超過指示部分８とを上側からこの順に有し、前記キャップは、これを閉じた状態としても、前記超過指示部分が前記栓本体の上方に位置する状態の前記指示棒に当接しないように構成されている。【選択図】図２
0003224839.tif 000002
【実用新案登録請求の範囲】
【請求項１】
バッテリーセルの上面部に設けられ、液注入口を構成する栓本体と、
前記バッテリーセル内に貯留された貯留液に浮き、前記栓本体によって案内されながら前記貯留液の液位の昇降に伴ってその全体が昇降するフロートと、
前記液注入口を外側から開閉自在に覆い、透光性を有するキャップとを具備し、
前記フロートの上部に設けられた指示棒は、前記液位が正常範囲内にあるときに少なくともその一部が前記栓本体の上方に位置する正常指示部分と、前記液位が正常範囲を超過しているときに少なくともその一部が前記栓本体の上方に位置する超過指示部分とを上側からこの順に有し、
前記キャップは、これを閉じた状態としても、前記超過指示部分が前記栓本体の上方に位置する状態の前記指示棒に当接しないように構成されている液位指示栓。
【請求項２】
少なくともその一部が前記液注入口の直下に位置する前記フロートに該液注入口から注入された液が直接掛からないようにするためのフラップを具備し、該フラップは、前記フロートに干渉しない位置に配されている請求項１に記載の液位指示栓。
【請求項３】
前記キャップは前記栓本体の一側に設けられたヒンジ部を介して該栓本体にヒンジ連結され、
前記栓本体は前記フロートの指示棒を案内する案内部を有し、この案内部は、平面視において前記栓本体の中心よりも前記ヒンジ部に近い位置に配され、
前記フラップは、前記案内部に沿う位置から下側に向かって延び、その上面は下側ほど前記ヒンジ部から離れるように傾斜した液逃がし部を有している請求項２に記載の液位指示栓。
【考案の詳細な説明】
【技術分野】
【０００１】
本考案は、例えば、車両用の鉛蓄電池を構成するように複数個が連結されるバッテリーセルの各々に用いて好適な液位指示栓に関する。
【背景技術】
【０００２】
例えばバッテリー型フォークリフト等の車両用の鉛蓄電池には、複数のバッテリーセルが電気的に連結されて用いられている。斯かるバッテリーセルの内部に貯留された貯留液（バッテリー液）は次第に減少するのであり、バッテリーセルの劣化の遅延を図るといった観点から、貯留液の液位を定期的に確認し、規定量よりも減少していれば補充して、貯留液を適量に保つことが推奨されている。
【考案の概要】
【考案が解決しようとする課題】
【０００３】
しかし、従来のバッテリーセルでは、その本体が不透明であると、貯留液の液位を外部から確認することができず、その確認のために、バッテリーセルの上面部に設けられた液注入口を覆うキャップを開けなければならず、斯かるキャップを都度開閉する煩わしさは、特に多数のバッテリーセルが連結されており、個々に確認を行うような場合に顕著となる。しかも、斯かる従来のバッテリーセルでは、貯留液の液位を確認し必要に応じて貯留液を補充したバッテリーセルと、貯留液の液位が未確認であるバッテリーセルとの見分けもつかないため、貯留液の液位の確認を重ねて行う無駄が生じたり、逆にこの確認のし損ないが生じたりする懸念もある。
【０００４】
本考案は上述の事柄に留意してなされたもので、その目的は、バッテリーセル内の貯留液の液位確認の容易化及び確実化を図ることができる液位指示栓を提供することにある。
【課題を解決するための手段】
【０００５】
上記目的を達成するために、本考案に係る液位指示栓は、バッテリーセルの上面部に設けられ、液注入口を構成する栓本体と、前記バッテリーセル内に貯留された貯留液に浮き、前記栓本体によって案内されながら前記貯留液の液位の昇降に伴ってその全体が昇降するフロートと、前記液注入口を外側から開閉自在に覆い、透光性を有するキャップとを具備し、前記フロートの上部に設けられた指示棒は、前記液位が正常範囲内にあるときに少なくともその一部が前記栓本体の上方に位置する正常指示部分と、前記液位が正常範囲を超過しているときに少なくともその一部が前記栓本体の上方に位置する超過指示部分とを上側からこの順に有し、前記キャップは、これを閉じた状態としても、前記超過指示部分が前記栓本体の上方に位置する状態の前記指示棒に当接しないように構成されている（請求項１）。
【０００６】
上記液位指示栓において、少なくともその一部が前記液注入口の直下に位置する前記フロートに該液注入口から注入された液が直接掛からないようにするためのフラップを具備し、該フラップは、前記フロートに干渉しない位置に配されていてもよい（請求項２）。
【０００７】
上記液位指示栓において、前記キャップは前記栓本体の一側に設けられたヒンジ部を介して該栓本体にヒンジ連結され、前記栓本体は前記フロートの指示棒を案内する案内部を有し、この案内部は、平面視において前記栓本体の中心よりも前記ヒンジ部に近い位置に配され、前記フラップは、前記案内部に沿う位置から下側に向かって延び、その上面は下側ほど前記ヒンジ部から離れるように傾斜した液逃がし部を有していてもよい（請求項３）。
【考案の効果】
【０００８】
本願考案では、バッテリーセル内の貯留液の液位確認の容易化及び確実化を図ることができる液位指示栓が得られる。
【０００９】
すなわち、本願の各請求項に係る考案の液位指示栓では、閉めた状態のキャップの外部から、このキャップを開けることなく、透光性を有するキャップを通してその内部に位置する指示棒を目視するだけで、バッテリーセル内の貯留液の液位が正常範囲内にあるか否かを容易かつ確実に確認することができる。
【００１０】
請求項２に係る考案の液位指示栓では、少なくともフロートの一部が液注入口の直下に位置するようにしてあり、フロートの全体を液注入口の直下を避けた位置に設ける場合に比べ、液位指示栓全体のコンパクト化を図ることができる。
【００１１】
また、仮に、フロートに液注入口から注入された液が直接掛かると、この液によってフロートが押し下げられ、これに伴い、指示棒の正常指示部分が栓本体内に隠れて見えなくなると、バッテリーセル内の貯留液の液位の誤認を招き、ひいては過剰補充を招来する恐れがある。しかし、請求項２に係る考案の液位指示栓では、フラップにより、フロートに液注入口から注入された液が直接掛かることが防止され、ひいては、上述したような貯留液の液位の誤認やこれに基づく過剰補充をも防止することができる。
【００１２】
請求項３に係る考案の液位指示栓では、指示棒を案内する案内部を、平面視において栓本体の中心よりもヒンジ部に近い位置に配してあり、仮に、案内部を、平面視において栓本体の中心よりもヒンジ部から遠い位置に配すると、キャップの高さをより高くする必要が生じたり、フロートが上昇し指示棒が栓本体（案内部）の上方に大きく突出している状態でキャップ５の開閉が不能になったりする恐れがあるが、本考案ではそうした不具合等を生じないようにすることができる。
【００１３】
加えて、請求項３に係る考案の液位指示栓では、液逃がし部により、液注入口から注入された液はフロートから離れる方向に流れるので、液注入口から注入された液の流れがフロートを昇降させ、貯留液の液位の誤認やそれに基づく過剰補充・過小補充を招来するといった事態を起こり難くすることができる。
【図面の簡単な説明】
【００１４】
【図１】（Ａ）〜（Ｃ）は、本考案の一実施の形態に係る液位指示栓の写真であり、（Ａ）はキャップを開けた状態の液位指示栓を上方から撮った写真、（Ｂ）はキャップを閉めた状態の液位指示栓の上部をその斜め上から撮った写真、（Ｃ）はキャップを閉めた状態の液位指示栓を正面から撮った写真である。
【図２】前記液位指示栓の構成を概略的に示す説明図である。
【図３】（Ａ）〜（Ｄ）は前記キャップの構成を示す斜視図、平面図、正面図及び側面図である。
【図４】（Ａ）〜（Ｄ）は前記液位指示栓のフラップの構成を示す斜視図、平面図、正面図及び側面図である。
【考案を実施するための形態】
【００１５】
本考案の実施の形態について図面を参照しながら以下に説明する。
【００１６】
図１（Ａ）〜（Ｃ）及び図２に示す液位指示栓は、バッテリーセルＳの上面部（図２参照。なお、図２には、バッテリーセルＳの上面部の一部のみ示してある。）に設けられ、液注入口１を構成する栓本体２と、バッテリーセルＳ内に貯留された貯留液Ｌに浮き、栓本体２に設けられた案内部３によって案内されその姿勢を保ちながら貯留液Ｌの液位の昇降に伴ってその全体が昇降するフロート４と、液注入口１を外側から開閉自在に覆い、閉状態において外部から内部が目視可能となるように透光性を有するキャップ５とを具備する。
【００１７】
フロート４の上部に設けられた指示棒６は、貯留液Ｌの液位が正常範囲（規定範囲）内にあるときに少なくともその一部が栓本体２（案内部３）の上方に位置する正常指示部分７と、貯留液Ｌの液位が正常範囲を超過しているときに少なくともその一部が栓本体２（案内部３）の上方に位置する超過指示部分８とを上側からこの順に有する。
【００１８】
そして、本例のキャップ５は、図３（Ａ）〜（Ｄ）に示す構造を有するものであり、その高さｈ５（図１（Ｂ）参照）を適宜に設定し、キャップ５を閉じた状態としても（もちろん開いた状態としても）、超過指示部分８が栓本体２（案内部３）の上方に位置する状態の指示棒６に当接しないように構成してある。
【００１９】
以上の構成を有する本例の液位指示栓では、閉めた状態のキャップ５の外部から、このキャップ５を開けることなく、透光性を有するキャップ５を通してその内部に位置する指示棒６を目視するだけで、バッテリーセルＳ内の貯留液Ｌの液位が正常範囲内にあるか否かを容易かつ確実に確認することができる。
【００２０】
すなわち、指示棒６の正常指示部分７が栓本体２（案内部３）内に隠れて見えなければ、貯留液Ｌの液位は正常範囲を下回っていることになるので、この場合、キャップ５が閉まっていればこれを開け、所定の液（例えば精製水）を液注入口１からバッテリーセルＳに注入（補充）し、液位が正常範囲となるようにすればよい。
【００２１】
また、指示棒６の正常指示部分７が栓本体２（案内部３）の上方にあって見え、かつ、超過指示部分８が見えなければ、貯留液Ｌの液位は正常範囲にあることになるので、この場合は特段の措置は不要である。
【００２２】
一方、指示棒６の超過指示部分８が栓本体２（案内部３）の上方にあって見えれば、貯留液Ｌの液位は正常範囲を上回っていることになる。ここで、従来のバッテリーセルでは、所定の液をバッテリーセルに補充した状態ではその液が溢れていなくても、過剰補充を行っていると、キャップを閉めたときにフロートが押し下げられて液位が上昇し、液がこぼれる恐れがあったが、本例の液位指示栓では、所定の液をバッテリーセルＳに補充した状態でその液が溢れていなければ、キャップ５を閉めてもフロート４は押し下げられないので液がこぼれる恐れはない。すなわち、本例の超過指示部分８は、所定の液の補充作業時に、その液を溢れるほど補充しないように注意を促すことを目的として設けている。
【００２３】
ここで、指示棒６における正常指示部分７は、正常指示部分７より上側の部分と区別がつき、過剰指示部分８とも区別がつくようにしてあればよく、例えば、外面の色や模様、太さ、形状を異ならせるといった構成により区別がつくようにすることが考えられる。
【００２４】
また、図２に示すように、本例の液位指示栓では、少なくともフロート４の一部が液注入口１の直下に位置するようにしてあり、フロート４の全体を液注入口１の直下を避けた位置に設ける場合に比べ、液位指示栓全体のコンパクト化を図ることができる。
【００２５】
ところで、仮に、フロート４に液注入口１から注入された液が直接掛かると、この液によってフロート４が押し下げられ、これに伴い、指示棒６の正常指示部分７が栓本体２（案内部３）内に隠れて見えなくなると、バッテリーセルＳ内の貯留液Ｌの液位の誤認を招き、ひいては過剰補充を招来する恐れがある。
【００２６】
そこで、本例の液位指示栓は、図１（Ｃ）、図２に示すように、フロート４に液注入口１から注入された液が直接掛からないようにするためのフラップ９を具備し、フラップ９は、バッテリーセルＳ内において昇降するフロート４に干渉しない位置に配してある。
【００２７】
そのため、本例の液位指示栓では、フロート４に液注入口１から注入された液が直接掛かることが防止され、ひいては、上述したような貯留液Ｌの液位の誤認やこれに基づく過剰補充をも防止することができる。
【００２８】
なお、フラップ９は、図４（Ａ）〜（Ｄ）に示すように構成されており、例えば栓本体２の下部等に適宜に保持させるようにすればよい。ちなみに、図１（Ａ）には、フラップ９を設けていない状態を示してある。
【００２９】
また、図２に示すように、本例の液位指示栓では、栓本体２の一側に設けたヒンジ部１０を介してキャップ５を栓本体２にヒンジ連結してあり、栓本体２に設けたフロート４の指示棒６を案内する案内部３を、平面視において栓本体２の中心よりもヒンジ部１０に近い位置に配してある。仮に、案内部３を、平面視において栓本体２の中心よりもヒンジ部１０から遠い位置に配すると、キャップ５の高さｈ５をより高くする必要が生じたり、フロート４が上昇し指示棒６が栓本体２（案内部３）の上方に大きく突出している状態でキャップ５の開閉が不能になったりする恐れがあるが、本例ではそうした不具合等を生じないようにすることができる。
【００３０】
そして、フラップ９は、案内部３に沿う位置から下側に向かって延び、その上面は下側ほどヒンジ部１０から離れるように傾斜した液逃がし部１１を有しているのであり、この液逃がし部１１により、液注入口１から注入された液はフロート４から離れる方向に流れるので、液注入口１から注入された液の流れがフロート４を昇降させ、貯留液Ｌの液位の誤認やそれに基づく過剰補充・過小補充を招来するといった事態を起こり難くすることができる。
【００３１】
ここで、本例のキャップ５では、図２、図３（Ａ）及び（Ｂ）に示すように、ヒンジ部１０を設けた一側の逆側（他側）に、キャップ５を開閉する際に用いるつまみ部１２を設けてある。
【００３２】
また、本例のキャップ５は栓本体２に対してワンタッチで着脱自在となるように構成してあり、キャップ５の全体に汚れ等が付着し、指示棒６が見えにくくなった際は、キャップ５のみの取り換えにより簡単に対応可能である。
【００３３】
なお、本考案は、上記の実施の形態に何ら限定されず、本考案の要旨を逸脱しない範囲において種々に変形して実施し得ることは勿論である。
【符号の説明】
【００３４】
１    液注入口
２    栓本体
３    案内部
４    フロート
５    キャップ
６    指示棒
７    正常指示部分
８    過剰指示部分
９    フラップ
１０    ヒンジ部
１１    液逃がし部
１２    つまみ部
ｈ５  キャップの高さ
Ｌ    貯留液
Ｓ    バッテリーセル
【図１】
0003224839.tif 000003
【図２】
0003224839.tif 000004
【図３】
0003224839.tif 000005
【図４】
0003224839.tif 000006